(57)【特許請求の範囲】
【請求項１】
水平に配置される棒状の足場板支持部材と、複数の穴を有し上記足場板支持部材上に支持される足場板とを締結するための足場締結装置において、
上記足場板支持部材に係合される係合片、
この係合片に回動可能に連結され、上記係合片との間に足場板支持部材を保持する回動片、
上記係合片に固定されているガイド部材、
このガイド部材に沿ってスライド可能であり、上記足場板の下側から上記穴のいずれかに通されるスライドボルト、及び
上記穴を貫通した上記スライドボルトに螺着されるナット
を備えていることを特徴とする足場締結装置。
【請求項２】
係合片に対して回動自在に連結されている回動ボルトと、この回動ボルトに螺着される締め付けナットとを備え、回動片の先端部には、上記回動ボルトが回動により出し入れされるＵ字状の切欠が設けられており、上記回動ボルトが上記切欠に入った状態で上記締め付けナットを締め付けることにより、上記係合片と上記回動片との間に足場板支持部材が挟持されることを特徴とする請求項１記載の足場締結装置。
【請求項３】
水平に配置される棒状の足場板支持部材と、この足場板支持部材に接するフランジ部を有し上記足場板支持部材上に支持される足場板とを締結するための足場締結装置において、
上記フランジ部に当接する当接部を有し、上記足場板支持部材上に上記足場板を押さえ付ける押さえ部材、
この押さえ部材を貫通するねじ部が両端部に設けられており、上記押さえ部材との間に上記足場板支持部材を挟持するＵボルト、及び
上記ねじ部に螺着されている複数のナット
を備えていることを特徴とする足場締結装置。
【請求項４】
水平に配置される棒状の足場板支持部材と、長手方向に沿って連続的に設けられたスライド溝を有し上記足場板支持部材上に支持される足場板とを締結するための足場締結装置において、
上記スライド溝に沿ってスライド可能な一対のスライドボルト、
上記足場板との間に上記足場板支持部材を挟持する締結装置本体、及び
上記スライドボルトにそれぞれ螺着され、上記足場板との間に上記締結装置本体の両端部を挟持する一対のナット
を備えていることを特徴とする足場締結装置。
【請求項５】
水平に配置される棒状の足場板支持部材と、この足場板支持部材上に支持される足場板とを締結するための足場締結装置において、
上記足場板支持部材が貫通する締結装置本体、
上記足場板の上から上記足場板支持部材に上記足場板を押さえ付ける押さえ部材、及び
この押さえ部材を貫通して上記締結装置本体に螺着される締め付けボルト
を備えていることを特徴とする足場締結装置。
【請求項６】
締結装置本体は、足場板の幅方向両側に配置されており、押さえ部材は、上記足場板と交差するように上記足場板上に配置され、両端部が締め付けボルトにより締結装置本体に接続される押さえ板であることを特徴とする請求項５記載の足場締結装置。
【請求項７】
各締結装置本体には、締め付けボルトが螺着される２つのねじ穴が設けられていることを特徴とする請求項６記載の足場締結装置。
【請求項８】
締結装置本体は、隣接する２枚の足場板間に配置され、押さえ部材は、上記２枚の足場板の両方に当接していることを特徴とする請求項５記載の足場締結装置。
【請求項９】
締結装置本体には、締め付けボルトの先端部が挿入される切欠部が設けられており、この切欠部の内側には、上記締め付けボルトが螺着されるナットが固着されていることを特徴とする請求項８記載の足場締結装置。
【請求項１０】
締結装置本体は、第１の係合片と、この第１の係合片に対して開閉可能に連結され、上記第１の係合片との間に足場板支持部材を保持する第２の係合片とを有していることを特徴とする請求項５ないし請求項９のいずれかに記載の足場締結装置。
【発明の詳細な説明】
【０００１】
【発明の属する技術分野】
この発明は、例えばエレベータの昇降路内などに設置される足場装置に用いられ、足場板支持部材に足場板を締結する足場締結装置に関するものである。
【０００２】
【従来の技術】
図１９は例えば特開平８−３４５７６号公報に示された従来のエレベータの足場装置の設置状態を示す側面図、図２０は図１９の足場装置を示す平面図である。図において、１はエレベータの昇降路、２は最上階の乗場床、３は最上階の乗場出入口、４は乗場出入口３の前に立設されている一対の縦パイプ、５は縦パイプ４の下端部を乗場床２に固定するための固定金である。
【０００３】
６は乗場出入口３に対向する昇降路壁１ａに当接し、足場装置の反力を昇降路壁１ａに伝える足場受け金具、７は足場受け金具６と縦パイプ４の中間部との間に互いに平行にかつ水平に架設されている一対の横パイプ、８は横パイプ７の足場受け金具６側の端部と縦パイプ４の下端部との間に斜めに連結されている斜めパイプ、９は一対の横パイプ７上に支持されている複数枚の足場板である。
【０００４】
図２１は図１９の横パイプ７と足場板９との結合部を拡大して示す斜視図である。図において、１０は横パイプ７と足場板９とに係合している一対の掛合具であり、これらの掛合具１０の一端部には、横パイプ７に引っかけられている第１の係合部１０ａが設けられている。また、掛合具１０の他端部には、断面コ字形に折り曲げられた第２の係合部１０ｂが設けられている。１１は足場板９上で一対の掛合具１０の第２の係合部１０ｂ間に掛けられている環状のゴムバンドである。
【０００５】
このような足場装置は、エレベータの据付行程の初期に設置され、例えば昇降路１の上部に揚重装置（図示せず）を設置する作業などに使用される。このとき、横パイプ７の上に単に足場板９を置くだけでは足場板９が不安定であるため、足場板９を横パイプ７に対してしっかりと結合しておく必要がある。
【０００６】
このため、各足場板９の両端部近傍に掛合具１０及びゴムバンド１１を装着する。即ち、掛合具１０の第１の係合部１０ａを横パイプ７に掛け、第２の係合部１０ｂ間にゴムバンド１１を装着する。ゴムバンド１１は、一対の掛合具１０を互いに引き寄せる方向へ引っ張り、これにより足場板９が横パイプ７上に結合される。
【０００７】
【発明が解決しようとする課題】
上記のように構成された従来の足場装置においては、足場板９の幅の変化に応じてゴムバンド１１の大きさを変える必要があった。また、ゴムバンド１１を取り付けるまでは、第１の係合部１０ａが横パイプ７に掛けられているだけなので、掛合具１０が落下しないように注意が必要であり、作業性が低かった。さらに、ゴムバンド１１の寿命は１年程度であり、ゴムバンド１１の劣化を常に確認する必要があるが、劣化の度合いを判断するのは難しかった。
【０００８】
この発明は、上記のような問題点を解決することを課題としてなされたものであり、足場板の幅等のサイズの変化に容易に対応できるとともに、着脱が容易であり、長寿命で信頼性の高い足場締結装置を得ることを目的とする。
【０００９】
【課題を解決するための手段】
請求項１の発明に係る足場締結装置は、水平に配置される棒状の足場板支持部材と、複数の穴を有し足場板支持部材上に支持される足場板とを締結するためのものにおいて、足場板支持部材に係合される係合片、この係合片に回動可能に連結され、係合片との間に足場板支持部材を保持する回動片、係合片に固定されているガイド部材、このガイド部材に沿ってスライド可能であり、足場板の下側から穴のいずれかに通されるスライドボルト、及び穴を貫通したスライドボルトに螺着されるナットを備えたものである。
【００１０】
請求項２の発明に係る足場締結装置は、係合片に対して回動自在に連結されている回動ボルトと、この回動ボルトに螺着される締め付けナットとを備え、回動片の先端部には、回動ボルトが回動により出し入れされるＵ字状の切欠が設けられており、回動ボルトが切欠に入った状態で締め付けナットを締め付けることにより、係合片と回動片との間に足場板支持部材が挟持されるものである。
【００１１】
請求項３の発明に係る足場締結装置は、水平に配置される棒状の足場板支持部材と、この足場板支持部材に接するフランジ部を有し足場板支持部材上に支持される足場板とを締結するためのものにおいて、フランジ部に当接する当接部を有し、足場板支持部材上に足場板を押さえ付ける押さえ部材、この押さえ部材を貫通するねじ部が両端部に設けられており、押さえ部材との間に足場板支持部材を挟持するＵボルト、及びねじ部に螺着されている複数のナットを備えたものである。
【００１２】
請求項４の発明に係る足場締結装置は、水平に配置される棒状の足場板支持部材と、長手方向に沿って連続的に設けられたスライド溝を有し足場板支持部材上に支持される足場板とを締結するためのものにおいて、スライド溝に沿ってスライド可能な一対のスライドボルト、足場板との間に足場板支持部材を挟持する締結装置本体、及びスライドボルトにそれぞれ螺着され、足場板との間に締結装置本体の両端部を挟持する一対のナットを備えたものである。
【００１３】
請求項５の発明に係る足場締結装置は、水平に配置される棒状の足場板支持部材と、この足場板支持部材上に支持される足場板とを締結するためのものにおいて、足場板支持部材が貫通する締結装置本体、足場板の上から足場板支持部材に足場板を押さえ付ける押さえ部材、及びこの押さえ部材を貫通して締結装置本体に螺着される締め付けボルトを備えたものである。
【００１４】
請求項６の発明に係る足場締結装置は、足場板の幅方向両側に締結装置本体を配置し、足場板と交差するように足場板上に配置され、両端部が締め付けボルトにより締結装置本体に接続される押さえ板を押さえ部材として用いたものである。
【００１５】
請求項７の発明に係る足場締結装置は、締め付けボルトが螺着される２つのねじ穴を各締結装置本体に設けたものである。
【００１６】
請求項８の発明に係る足場締結装置は、隣接する２枚の足場板間に締結装置本体を配置し、２枚の足場板の両方に押さえ部材を当接させたものである。
【００１７】
請求項９の発明に係る足場締結装置は、締め付けボルトの先端部が挿入される切欠部を締結装置本体に設け、この切欠部の内側に、締め付けボルトが螺着されるナットを固着したものである。
【００１８】
請求項１０の発明に係る足場締結装置は、第１の係合片と、この第１の係合片に対して開閉可能に連結され、第１の係合片との間に足場板支持部材を保持する第２の係合片とを有する締結装置本体を用いたものである。
【００１９】
【発明の実施の形態】
以下、この発明の実施の形態を図について説明する。
実施の形態１．
図１はこの発明の実施の形態１による足場締結装置が設けられているエレベータの足場装置を示す平面図である。図において、１はエレベータの昇降路、２は最上階の乗場床、３は最上階の乗場出入口、４は乗場出入口３の前に立設されている一対の縦パイプ、５は縦パイプ４の下端部を乗場床２に固定するための固定金、６は乗場出入口３に対向する昇降路壁１ａに当接し、足場装置の反力を昇降路壁１ａに伝える足場受け金具である。
【００２０】
７は足場受け金具６と縦パイプ４の中間部との間に互いに平行にかつ水平に架設されている棒状の足場板支持部材としての一対の横パイプ、８は横パイプ７の足場受け金具６側の端部と縦パイプ４の下端部との間に斜めに連結されている斜めパイプ、９は一対の横パイプ７上に支持されている複数枚の足場板であり、これらの足場板には、滑り止めと軽量化のための多数の押し出し穴９ａが整列して設けられている。なお、足場装置全体の側面図は、図１９と同様である。
【００２１】
次に、図２は図１の横パイプと足場板との結合部を拡大して示す斜視図、図３は図２のＩＩＩ−ＩＩＩ線に沿う断面図、図４は図２のＩＶ−ＩＶ線に沿う断面図、図５は図３の足場締結装置を示す斜視図である。
【００２２】
図において、２１は横パイプ７に係合される係合片、２２は係合片２１に軸２１Ａを中心として回動自在に連結され、係合片２１との間に横パイプ７を保持する回動片であり、この回動片２２の先端部には、Ｕ字状の切欠２２ａが設けられている。２３は係合片２１に軸２１Ｂを中心として回動自在に連結されている回動ボルトであり、この回動ボルト２３は、回動により切欠２２ａに対して出し入れされる。２４は回動ボルト２３に螺着されている締め付けナットである。
【００２３】
２５は係合片２１に固定されているガイド部材、２６はガイド部材２５に沿ってスライド可能なスライド片、２７はスライド片２６に固定され、足場板９の押し出し穴９ａに通されるスライドボルト、２８はスライドボルト２７に螺着されている蝶ナットである。
【００２４】
実施の形態１の足場締結装置は、係合片２１、回動片２２、回動ボルト２３、締め付けナット２４、ガイド部材２５、スライド片２６、スライドボルト２７及び蝶ナット２８により構成されている。
【００２５】
上記のような足場締結装置を用いて足場装置を組み立てる場合、まず一対の横パイプ７のそれぞれに足場締結装置をそれぞれ仮止めする。即ち、回動片２２及び回動ボルト２３を図３の２点鎖線に示すように開放して、係合片２１を横パイプ７に係合させる。この後、図３の実線に示すように、回動片２２及び回動ボルト２３を閉じて締め付けナット２４を軽く締める。この状態では、足場締結装置を横パイプ７に沿って容易にスライドさせることができる。
【００２６】
次に、横パイプ７の軸方向への係合片２１の位置、及びガイド部材２５の長手方向（横パイプ７の軸方向に対して直角の方向）に沿ったスライド片２６の位置を調整しながら、足場板９の押し出し穴９ａにスライドボルト２７を貫通させる。このとき、蝶ナット２８は外しておき、押し出し穴９ａを通した後に、足場板９の上側からスライドボルト２７に蝶ナット２８を螺着させる。
【００２７】
また、図１に示すように、１枚の足場板９に対して左右１組ずつの足場締結装置を使用する場合には、対角線上に位置する押し出し穴９ａにスライドボルト２７を通すのが好ましい。これにより、足場板９を横パイプ７上に安定して固定することができる。
【００２８】
このように、蝶ナット２８を締め込み、足場締結装置に対して足場板９を固定したら、締め付けボルト２３を締め込んで、横パイプ７に対しても足場締結装置をしっかりと固定する。このような作業を繰り返していくことにより、足場板９を図１の乗場側から１枚ずつ横パイプ７上に固定することができる。
【００２９】
また、締め付けボルト２３の締め込みを行う前に、仮止めされた足場板９を昇降路１の奥側へスライドさせ、その手前に次の足場板９を仮止めするという作業を繰り返し、全ての足場板９を仮止めした後に締め付けボルト２３をまとめて締め込む作業を行ってもよい。これにより、全ての足場板９の仮止め作業を乗場側で行うことができる。
【００３０】
このような足場締結装置によれば、締め付けナット２４の締め込み前であれば、スライドボルト２７の位置を横パイプ７に対して自由に調整することができるので、足場板９に通常多数設けられている押し出し穴９ａを利用して、足場板９を横パイプ７にしっかりと固定することができる。また、足場板９の厚さや幅の変化にも容易に対応できるとともに、着脱作業も容易である。さらに、長期に渡って繰り返し使用することができ、高い信頼性を確保することができる。
【００３１】
実施の形態２．
次に、図６はこの発明の実施の形態２による足場締結装置を示す正面図、図７は図６の右側面図であり、足場装置全体の構成は図１９と同様である。図において、足場板９の幅方向両端部には、横パイプ７に接するフランジ部（折り返し部）９ｂが形成されている。３１は横パイプ７上に足場板９を押さえ付ける押さえ部材であり、この押さえ部材３１は、足場板９のフランジ部９ｂに当接する当接部３１ａと、横パイプ７の外周面に係合するテーパ状の係合溝３１ｂとを有している。
【００３２】
３２は押さえ部材３１との間に横パイプ７を挟持するＵボルトであり、このＵボルト３２の両端部には、ねじ部３２ａが設けられている。また、ねじ部３２ａは、それぞれ押さえ部材３１を貫通している。３３はねじ部３２ａに螺着されている蝶ナットである。
【００３３】
このような足場締結装置では、押さえ部材３１とＵボルト３２との間に横パイプ７を挟むとともに、当接部３１ａと横パイプ７との間にフランジ部９ｂを挟んだ状態で、蝶ナット３３を締め込むことにより、足場板９が横パイプ７にしっかりと固定される。また、１枚の足場板９に対して、２組の足場締結装置を対角線上に配置することにより、足場板９を横パイプ７に安定して固定できる。
【００３４】
さらに、フランジ部９ｂは通常足場板９の長手方向（図６の左右方向）に沿って連続して設けられており、また蝶ナット３３を締め込む前であれば、足場締結装置の位置は横パイプ７の軸方向に自由に調整可能であるため、足場板９の厚さや幅の変化にも容易に対応できるとともに、着脱作業も容易である。さらに、長期に渡って繰り返し使用することができ、高い信頼性を確保することができる。
【００３５】
実施の形態３．
次に、図８はこの発明の実施の形態３による足場締結装置を示す正面図、図９は図８の右側面図であり、足場装置全体の構成は図１９とほぼ同様である。図において、３５は横パイプ７上に支持されている足場板であり、この足場板３５の幅方向両端部には、スライド溝３５ａが長手方向に沿って連続的に設けられている。３６はスライド溝３５ａに沿ってスライド可能な一対のスライドボルトである。
【００３６】
３７は足場板３５との間に横パイプ７を挟持するＵ字形の締結装置本体であり、この締結装置本体３７の両端部には、スライドボルト３６を通す溝３７ａがそれぞれ設けられている。３８はスライドボルト３６にそれぞれ螺着され、足場板３５の幅方向端面との間に締結装置本体３７の両端部を挟持する一対の蝶ナットである。
【００３７】
このような足場装置では、足場板３５の両側のスライド溝３５ａに、足場板３５の枚数×２個のスライドボルト３６をそれぞれ通しておく。そして、締結装置本体３７を横パイプ７に係合させるとともに、締結装置本体３７の溝３７ａ内にスライドボルト３６を通し、蝶ナット３８を締め込む。これにより、足場板３５が横パイプ７上にしっかりと固定される。また、１枚の足場板３５に対して、２組の足場締結装置を対角線上に配置することにより、足場板３５を横パイプ７に安定して固定できる。
【００３８】
実施の形態４．
次に、図１０はこの発明の実施の形態４による足場締結装置を示す側面図である。図において、４１は横パイプ７上に支持されている足場板であり、この足場板４１の裏面の幅方向中央部には、スライド溝４１ａが長手方向に沿って連続的に設けられている。４２はスライド溝４１ａに沿ってスライド可能な一対のスライドボルトである。
【００３９】
４３は足場板４１との間に横パイプ７を挟持するΩ形の締結装置本体であり、一対のスライドボルト４２は締結装置本体４３の両端部を貫通している。４４はスライドボルト４２にそれぞれ螺着され、足場板４１との間に締結装置本体４３の両端部を挟持する一対の蝶ナットである。
【００４０】
この例では、１枚の足場板４１に対して、その長手方向両端部付近にそれぞれ１組ずつ、計２組の足場締結装置が装着されている。これにより、足場板４１がしっかりと安定して横パイプ７上に固定されている。このように、スライド溝４１ａが幅方向の中央部にある足場板４１であっても、横パイプ７に容易に固定することができる。
【００４１】
実施の形態５．
次に、図１１はこの発明の実施の形態５による足場締結装置を示す平面図、図１２は図１１のＸＩＩ−ＸＩＩ線に沿う断面図、図１３は図１１のＸＩＩＩ−ＸＩＩＩ線に沿う断面図、図１４は図１１のＸＩＶ−ＸＩＶ線に沿う断面図であり、足場装置全体の構成は図１９とほぼ同様である。
【００４２】
図において、５１は横パイプ７に取り付けられている締結装置本体であり、この締結装置本体５１には、横パイプ７がスライド可能な状態で貫通する貫通孔５１ａが設けられている。貫通孔５１ａの径は、横パイプ７の外径とほぼ等しくなっている。また、締結装置本体５１は、足場板９の上面と面一の平面を構成するフランジ部５１ｂを有している。フランジ部５１ｂには、２つのねじ穴５１ｃが設けられている。さらに、締結装置本体５１は、足場板９の長手方向両端部近傍で幅方向両側にそれぞれ配置されている。
【００４３】
５２は足場板９の長手方向両端部近傍で足場板９と交差するように足場板９上に配置されている押さえ部材としての複数の押さえ板、５３は押さえ板５２の両端部を貫通してねじ穴５１ｃに螺着されている複数の締め付けボルトである。
【００４４】
このような足場締結装置では、足場板９に押さえ板５２を交差させ、押さえ板５２の両端部を締め付けボルト５３でフランジ部５１ｂに固定することにより、足場板９が横パイプ７上にしっかりと押さえ付けられる。また、締結装置本体５１は、横パイプ７に沿ってスライド可能であり、足場板９の幅寸法の変化に容易に対応できる。
【００４５】
さらに、足場板９の上側で締め付けボルト５３を取り付けたり外したりすればよいので、着脱作業も容易である。さらにまた、長期に渡って繰り返し使用することができ、高い信頼性を確保することができる。また、足場板にスライド溝や押し出し穴を必要とせず、種々の足場板に適用することができる。
【００４６】
実施の形態６．
図１５はこの発明の実施の形態６による足場締結装置を示す側面図、図１６は図１５のＸＶＩ−ＸＶＩ線に沿う断面図であり、図１５は図１６の右側面図に相当する。また、足場装置全体の構成は図１９とほぼ同様である。
【００４７】
図において、６１は横パイプ７に取り付けられている締結装置本体であり、この締結装置本体６１には、横パイプ７がスライド可能な状態で貫通する貫通孔６１ａが設けられている。貫通孔６１ａの径は、横パイプ７の外径とほぼ等しくなっている。また、締結装置本体６１には、切欠部６１ｂが設けられている。６２は切欠部６１ｂの内側に固着されているナットである。
【００４８】
６３は足場板９の長手方向両端部で足場板９を横パイプ７に押し付ける押さえ部材、６４は押さえ部材６３を貫通してナット６２に螺着されている締め付けボルトである。
【００４９】
このような足場締結装置では、押さえ部材６３の一部を足場板９に載せ、押さえボルト６４をナット６２に螺着させ締め込むことにより、足場板９が横パイプ７上にしっかりと押さえ付けられる。また、締結装置本体６１は、横パイプ７に沿ってスライド可能であり、足場板９の幅寸法の変化に容易に対応できる。さらに、切欠部６１ｂの深さの範囲で、足場板９の厚さの変化にも容易に対応することができる。
【００５０】
さらにまた、足場板９の上側で押さえボルト６４を取り付けたり外したりすればよいので、着脱作業も容易である。また、長期に渡って繰り返し使用することができ、高い信頼性を確保することができる。さらに、足場板にスライド溝や押し出し穴を必要とせず、種々の足場板に適用することができる。
【００５１】
実施の形態７．
図１７はこの発明の実施の形態７による足場締結装置を示す側面図、図１８は図１７のＸＶＩＩＩ−ＸＶＩＩＩ線に沿う断面図であり、図１７は図１８の右側面図に相当する。また、足場装置全体の構成は図１９とほぼ同様である。
【００５２】
図において、６５は横パイプ７に取り付けられている締結装置本体であり、この締結装置本体６５は、ナット６２が固着されている第１の係合片６６と、この第１の係合片６６に開閉可能に連結され、第１の係合片６６との間に横パイプ７を保持する第２の係合片６７と、第１及び第２の係合片６６，６７を連結する連結具（ボルト・ナット）６８とを有している。
【００５３】
６９は隣接する足場板９が無い位置で使用される押さえ部材であり、この押さえ部材６９は、横パイプ７に当接するパイプ当接部６９ａを有している。なお、上記実施の形態６においても、隣接する足場板９が無い位置では、押さえ部材６９が使用される。
【００５４】
このような足場締結装置によれば、一方の締結具６８を取り外すことにより、例えば図１８の２点鎖線に示すように、第２の係合片６７を回動させ開放することができる。従って、予め横パイプ７に締結装置本体６５を通しておく必要がなくなり、作業性が向上する。
【００５５】
なお、上記の例では、２本の横パイプ７上に足場板９，３５，４１を締結する足場締結装置について説明したが、３本以上の足場板支持部材に締結する場合にも使用できる。また、１本の足場板支持部材と構造物の一部とで足場板を支持するような場合にも使用できる。
【００５６】
【発明の効果】
以上説明したように、請求項１の発明の足場締結装置は、足場板支持部材に係合される係合片、この係合片に回動可能に連結され、係合片との間に足場板支持部材を保持する回動片、係合片に固定されているガイド部材、このガイド部材に沿ってスライド可能であり、足場板の下側から穴のいずれかに通されるスライドボルト、及び穴を貫通したスライドボルトに螺着されるナットを備えたので、足場板の幅や厚さ等のサイズの変化に容易に対応できるとともに、着脱作業も容易である。また、長期に渡って繰り返し使用でき、信頼性を向上させることができる。
【００５７】
請求項２の発明の足場締結装置は、係合片に対して回動自在に連結されている回動ボルトと、この回動ボルトに螺着される締め付けナットとを備え、回動片の先端部には、回動ボルトが回動により出し入れされるＵ字状の切欠が設けられており、回動ボルトが切欠に入った状態で締め付けナットを締め付けることにより、係合片と回動片との間に足場板支持部材が挟持されるので、簡単な構造で、足場板支持部材への取付を容易に行うことができる。
【００５８】
請求項３の発明の足場締結装置は、足場板のフランジ部に当接する当接部を有し、足場板支持部材上に足場板を押さえ付ける押さえ部材、この押さえ部材を貫通するねじ部が両端部に設けられており、押さえ部材との間に足場板支持部材を挟持するＵボルト、及びねじ部に螺着されている複数のナットを備えたので、足場板の幅や厚さ等のサイズの変化に容易に対応できるとともに、着脱作業も容易である。また、長期に渡って繰り返し使用でき、信頼性を向上させることができる。
【００５９】
請求項４の発明の足場締結装置は、足場板のスライド溝に沿ってスライド可能な一対のスライドボルト、足場板との間に足場板支持部材を挟持する締結装置本体、及びスライドボルトにそれぞれ螺着され、足場板との間に締結装置本体の両端部を挟持する一対のナットを備えたので、足場板の幅等のサイズの変化に容易に対応できるとともに、着脱作業も容易である。また、長期に渡って繰り返し使用でき、信頼性を向上させることができる。
【００６０】
請求項５の発明の足場締結装置は、足場板支持部材が貫通する締結装置本体、足場板の上から足場板支持部材に足場板を押さえ付ける押さえ部材、及びこの押さえ部材を貫通して締結装置本体に螺着される締め付けボルトを備えたので、足場板の幅等のサイズの変化に容易に対応できるとともに、着脱作業も容易である。また、長期に渡って繰り返し使用でき、信頼性を向上させることができる。
【００６１】
請求項６の発明の足場締結装置は、足場板の幅方向両側に締結装置本体を配置し、足場板と交差するように足場板上に配置され、両端部が締め付けボルトにより締結装置本体に接続される押さえ板を押さえ部材として用いたので、簡単な構造で足場板をしっかりと足場板支持部材上に押さえ付けることができる。
【００６２】
請求項７の発明の足場締結装置は、締め付けボルトが螺着される２つのねじ穴を各締結装置本体に設けたので、１つの締結装置本体を隣接する２枚の足場板用の足場締結装置として共用することができる。
【００６３】
請求項８の発明の足場締結装置は、隣接する２枚の足場板間に締結装置本体を配置し、２枚の足場板の両方に押さえ部材を当接させたので、足場装置全体で使用する締結装置本体の数を少なくすることができる。
【００６４】
請求項９の発明の足場締結装置は、締め付けボルトの先端部が挿入される切欠部を締結装置本体に設け、この切欠部の内側に、締め付けボルトが螺着されるナットを固着したので、足場板の厚さの変化に容易に対応することができる。
【００６５】
請求項１０の発明の足場締結装置は、第１の係合片と、この第１の係合片に対して開閉可能に連結され、第１の係合片との間に足場板支持部材を保持する第２の係合片とを有する締結装置本体を用いたので、足場板支持部材の端部から締結装置本体を通す必要がなく、取付を容易にすることができる。
【図面の簡単な説明】
【図１】  この発明の実施の形態１による足場締結装置が設けられているエレベータの足場装置を示す平面図である。
【図２】  図１の横パイプと足場板との結合部を拡大して示す斜視図である。
【図３】  図２のＩＩＩ−ＩＩＩ線に沿う断面図である。
【図４】  図２のＩＶ−ＩＶ線に沿う断面図である。
【図５】  図３の足場締結装置を示す斜視図である。
【図６】  この発明の実施の形態２による足場締結装置を示す正面図である。
【図７】  図６の右側面図である。
【図８】  この発明の実施の形態３による足場締結装置を示す正面図である。
【図９】  図８の右側面図である。
【図１０】  この発明の実施の形態４による足場締結装置を示す側面図である。
【図１１】  この発明の実施の形態５による足場締結装置を示す平面図である。
【図１２】  図１１のＸＩＩ−ＸＩＩ線に沿う断面図である。
【図１３】  図１１のＸＩＩＩ−ＸＩＩＩ線に沿う断面図である。
【図１４】  図１１のＸＩＶ−ＸＩＶ線に沿う断面図である。
【図１５】  この発明の実施の形態６による足場締結装置を示す側面図である。
【図１６】  図１５のＸＶＩ−ＸＶＩ線に沿う断面図である。
【図１７】  この発明の実施の形態７による足場締結装置を示す側面図である。
【図１８】  図１７のＸＶＩＩＩ−ＸＶＩＩＩ線に沿う断面図である。
【図１９】  従来のエレベータの足場装置の設置状態を示す側面図である。
【図２０】  図１９の足場装置を示す平面図である。
【図２１】  図１９の横パイプと足場板との結合部を拡大して示す斜視図である。
【符号の説明】
７  横パイプ（足場板支持部材）、９，３５，４１  足場板、９ａ  押し出し穴、９ｂ  フランジ部、２１  係合片、２２  回動片、２２ａ  切欠、２３  回動ボルト、２４  締め付けナット、２５  ガイド部材、２７  スライドボルト、２８  蝶ナット、３１  押さえ部材、３１ａ  当接部、３２  Ｕボルト、３２ａねじ部、３３，３８，４４  蝶ナット、３５ａ，４１ａ  スライド溝、３６，４２  スライドボルト、３７，４３，５１，６１，６５  締結装置本体、５１ｃねじ穴、５２  押さえ板（押さえ部材）、５３，６４  締め付けボルト、６３押さえ部材、６１ｂ  切欠部、６２  ナット、６６  第１の係合片、６７  第２の係合片。
【図１】
0004144723.tif 000002
【図２】
0004144723.tif 000003
【図３】
0004144723.tif 000004
【図４】
0004144723.tif 000005
【図５】
0004144723.tif 000006
【図６】
0004144723.tif 000007
【図７】
0004144723.tif 000008
【図８】
0004144723.tif 000009
【図９】
0004144723.tif 000010
【図１０】
0004144723.tif 000011
【図１１】
0004144723.tif 000012
【図１２】
0004144723.tif 000013
【図１３】
0004144723.tif 000014
【図１４】
0004144723.tif 000015
【図１５】
0004144723.tif 000016
【図１６】
0004144723.tif 000017
【図１７】
0004144723.tif 000018
【図１８】
0004144723.tif 000019
【図１９】
0004144723.tif 000020
【図２０】
0004144723.tif 000021
【図２１】
0004144723.tif 000022